(57)【要約】【課題】  ある生体認証装置(装置Ａ)が既に導入されている場合、これにその保持する生体情報の形式が異なる他の生体認証装置(装置Ｂ)を導入する場合には装置Ｂ用の生体情報を新たに生成・登録する必要が生じる。装置Ａで多数の生体情報が登録されており、装置Ｂでも装置Ａと同様の生体情報の登録の必要がある場合、装置Ｂへの生体情報登録作業には多大な時間と労力が必要となるため、装置Ｂの導入は容易には行い難い。【解決手段】  上記の課題を解決するために、本発明では、既に生体認証装置が設置されている場合に異なった種類の生体認証装置を設置する際、既に設置済みの生体認証装置で認証を実行する際に、新たに設置する生体認証装置の生体情報の生成を実行する。【選択図】  図１
2013186510.tif 000002
【特許請求の範囲】
【請求項１】
複数の生体認証装置を用いた生体情報管理方法において、
第1の生体認証装置が認証に用いられる第1の生体情報を第１の記憶装置に記憶しており、
前記第1の生体認証装置で利用者に対する認証を行う場合、
前記利用者の生体に関する情報を入手し、
前記生体に関する情報から当該認証に用いる生体画像情報を生成し、
前記生体画像情報と前記記憶装置に記憶された第1の生体情報を比較して認証を実行し、
当該生体画像情報から当該第２の生体認証装置の認証で用いられる第２の生体情報を生成して、第２の記憶装置に記憶することを特徴する複数の生体認証装置を用いた生体情報管理方法。
【請求項２】
請求項１に記載の複数の生体認証装置を用いた生体情報管理方法において、
前記第１の生体情報を用いて行う認証と、前記第２の生体情報の生成で共通する共通処理を、前記第１の生体情報もしくは前記第２の生体認証装置の一方で実行し、個別処理をそれぞれの生体認証装置で実行することを特徴とする複数の生体認証装置を用いた生体情報管理方法。
【請求項３】
請求項２に記載の複数の生体認証装置を用いた生体情報管理方法において、
前記共通処理は、前記生体画像情報から認証に不要な環境要因の除去、フォーマットへの変換処理および特徴量の抽出のいずれか１つを含むことを特徴とする複数の生体認証装置を用いた生体情報管理方法。
【請求項４】
請求項１乃至３のいずれかに記載の複数の生体認証装置を用いた生体情報管理方法において、
前記第２の記憶装置への記憶もしくは前記第２の生体情報の生成は、所定条件を満たし場合に実行することを特徴とする複数の生体認証装置を用いた生体情報管理方法。
【請求項５】
請求項４に記載の複数の生体認証装置を用いた生体情報管理方法において、
前記所定条件は、前記生体画像情報が予め定められた品質以上であることもしくは前記第１の生体認証装置での認証が肯定的である場合の少なくともいずれか一方であることを特徴とする複数の生体認証装置を用いた生体情報管理方法。
【発明の詳細な説明】
【技術分野】
【０００１】
本発明は、生体認証システムに関連し、より具体的には複数の生体認証装置間で認証に用いる生体情報の効率的な管理（生成、利用）を行う技術に関する。
【背景技術】
【０００２】
現在、静脈情報、指紋情報、虹彩情報などいわゆる生体情報を用いた認証、生体認証の利用が拡大している。生体認証においては、テンプレートと呼ばれる登録情報(生体情報)の管理を行う必要がある。このような必要性を鑑み、その管理を行う技術として、特開２００２−２５９９８０号公報（特許文献１）がある。この公報には、「登録データの更新に際して、更新内容を自動的に抽出して更新処理の自動化促進することにより、照合管理者による不適切なデータの更新や無用な更新を解消し、照合管理者の負担をなくして照合性能およびセキュリティ性を高めた生体照合装置、生体照合システムおよび生体照合方法の提供を目的とする」と記載されている（要約参照）。また、特開２００６−１４９４５号公報（特許文献２）がある。この公報には、「生体情報の変化に対し確実な対応をし、生体認証の精度を良好に維持可能とする」と記載されている。
【先行技術文献】
【特許文献】
【０００３】
【特許文献１】特開２００２−２５９９８０号公報
【特許文献２】特開２００６−１４９４５号公報
【発明の概要】
【発明が解決しようとする課題】
【０００４】
しかし、上記の背景技術においては、以下の点が考慮されていなかった。すなわち、複数の生体認証装置(システム)を導入する場合、それぞれで個別に管理する必要が生じることである。例えば、ある生体認証装置(装置Ａ)が既に導入されている場合、これにその保持する生体情報の形式が異なる他の生体認証装置(装置Ｂ)を導入する場合には装置Ｂ用の生体情報を新たに生成・登録する必要が生じる。装置Ａで多数の生体情報が登録されており、装置Ｂでも装置Ａと同様の生体情報の登録の必要がある場合、装置Ｂへの生体情報登録作業には多大な時間と労力が必要となるため、装置Ｂの導入は容易には行い難い。
【課題を解決するための手段】
【０００５】
本発明では、上記課題を解決するため、既に導入している装置Ａでの認証実行の際に取得した生体画像情報から装置Ｂ用の生体情報を生成することにより、装置Ｂ用の生体情報登録の時間を短縮し、登録作業の省力化を可能とする。この場合、装置Ａと装置Ｂの光学系部分すなわち、生体情報生成のもととなる生体の画像情報を取得するカメラ等の部分は同じものを使用している必要がある。これは、装置Ａ用の生体画像情報から装置Ｂ用の生体情報を生成するため、装置Ａと装置Ｂで同じ生体画像情報を取得する必要があることによる。この場合、装置Ａでの処理で所定条件を満たした場合（認証可や品質が一定以上など）を条件に装置Ｂ用の生体画像情報を作成してもよいし、装置Ａでの認証と装置Ｂでの生体画像情報の生成を並行処理してもよい。
【０００６】
また、装置Ａでの認証実行時の装置Ｂ用の生体情報生成の際に装置Ａ用生体情報と装置Ｂ用生体情報生成処理で共通化可能部分を共通化することにより、装置ＡおよびＢ用生体情報生成時間を短縮することを可能とする。共通化可能部分とは、例えば、特徴データの抽出処理が含まれる。
【発明の効果】
【０００７】
本発明により、異なる生体認証装置間での効率的な生体情報生成が可能となり、既に生体認証装置Ａが導入されている場所に、光学系は共通であるが、保持する生体情報が異なる生体認証装置Ｂの導入が容易に行えるようになる。
【図面の簡単な説明】
【０００８】
【図１】本発明の一実施形態の生体認証システム全体を示した全体図である。
【図２】本発明の一実施形態での装置Ａでの認証の際の装置Ｂ用生体情報生成処理のフロー図である。
【図３】本発明の一実施形態での装置Ａ用生体情報データベースに保持されているテーブル情報を示す図である。
【図４】本発明の一実施形態での装置Ｂ用生体情報データベースに保持されているテーブル情報を示す図である。
【発明を実施するための形態】
【０００９】
以下、本発明の一実施例を図面を用いて説明する。
図１は、本発明の実施例である生体認証システムである。生体認証装置Ａ １００は、既に設置されており、ネットワーク１０１を介して装置Ａ用生体情報データベース１０２を有する装置Ａ用認証サーバ１０３に接続されている。このシステムに新たに認証装置Ｂ １０４と、認証装置Ｂ用生体情報データベース１０５を有する装置Ｂ用認証サーバ１０６を追加する。
【００１０】
この際、装置Ａ １００と装置Ｂ １０４で認証に用いる生体情報の形式が異なるため、再度、装置Ｂ １０４用の生体情報を登録する必要がある。しかし、たとえば1000人分の生体情報が装置Ａ用生体情報データベース１０２に既に登録されており、同じ人々が装置Ｂ １０４でも認証をするような運用となる場合は、これら1000人の人を集め、その生体情報を装置Ｂ １０４用に登録し直す必要がある。
【００１１】
そこで、新たに追加する装置Ｂ １０４と装置Ｂ用認証サーバ１０６を実運用開始前にネットワーク101に接続し、既に設置済みの装置Ａ １００での認証の際に認証用に装置Ａ １００で撮影した生体画像情報から、装置Ｂ １０４用生体情報を生成し、装置Ｂ用生体情報データベース１０５に登録する。これにより、装置Ｂ １０４用生体情報生成の時間を短縮する。この際、装置Ａ １００用生体情報を装置Ａ用認証サーバ１０３で生成し、装置Ａ用生体情報データベース１０２に既に登録されている当該人物の生体情報と比較し、本人認証を実施する。また、装置Ｂ １０４用生体情報は、装置Ｂ用認証サーバ１０６で生成し、装置Ｂ用生体情報データベース１０５に登録する。
【００１２】
また、装置Ｂ １０４用生体情報を装置Ａ １００での認証の際に生成するあるいはしないをシステム管理者があらかじめ装置Ａ用生体情報データベース１０２内に指定することを可能とする。
【００１３】
さらに、装置Ａ １００での認証の際に生成した装置Ａ １００用生体情報と、装置Ａ用生体情報データベース１０２に登録されている当該人物の生体情報の比較の結果、その類似度があらかじめ定めておいた基準値より低い場合、今回取得の生体画像情報はその品質が悪いと判断し、本画像情報からは装置Ｂ １０４用生体情報を生成しない。これらにより、生成不要の装置Ｂ １０４用生体情報の生成処理を省略することが可能となる。
【００１４】
さらに、装置Ａ １００での認証の際に装置Ｂ １０４用生体情報生成の際に、装置Ａ １００用生体情報生成の前処理を装置Ａ用認証サーバ１０３にて、装置Ｂ １０４用生体情報生成の前処理を装置Ｂ用認証サーバ１０６にて実行し、その後、両生体情報生成の共通処理を装置Ａ用認証サーバ１０３にて実行、そして、その後の生体情報生成処理の非共通部分を装置Ａ用認証サーバ１０３および装置Ｂ用認証サーバ１０６にて実行することにより、装置Ｂ １０４用生体情報の生成処理に要する時間を短縮することが可能となる。
【００１５】
また、装置Ａ １００で認証の際に、生成した装置Ａ １００用生体情報と、すでに装置Ａ用生体情報データベースに登録されている当該人物の生体情報の比較結果の類似度をその際に生成した装置Ｂ用生体情報データベースに登録し、装置Ａ １００にて当該人物が認証を行うたびにその際の生体情報の類似度と装置Ｂ用生体情報データベースに登録されている当該人物の生体情報の類似度とを比較し、今回認証に用いている装置Ａ １００用生体情報の類似度が高い場合のみ、装置Ｂ １０４用生体情報を生成し、装置Ｂ用生体情報データベースに、類似度とともに登録する。これにより、装置Ａ用生体情報データベースに登録されている生体情報により類似した生体情報を装置Ｂ １０４用生体情報として登録することが可能となる。
【００１６】
図２は、本発明の実施例である生体認証装置Ａ １００での認証の際に生体認証装置Ｂ １０４用の生体情報生成時の、生体認証装置Ａ用認証サーバ装置１０３および生体認証装置Ｂ用認証サーバ装置１０６での処理のフロー図である。
【００１７】
生体認証装置Ａ １００での認証の際、生体認証装置Ａ用認証サーバ装置１０３において、生体認証装置Ａ １００で得られた生体画像情報から生体認証装置Ａ １００用生体情報を生成するための生体認証装置Ａ用生体情報生成前処理２００を実行する。この前処理の具体的内容の一例は、以降の生体認証装置Ａ用認証サーバ装置１０３の処理で必要なメモリ領域の確保や本処理に使用する変数の初期化等があげられる。また、同時に生体認証装置Ｂ用認証サーバ装置１０６においても生体認証装置Ａ １００で得られた生体画像情報から生体認証装置Ｂ用生体情報生成前処理２０５を実行する。以降の生体認証装置Ｂ用認証サーバ装置１０６の処理で必要なメモリ領域の確保や本処理に使用する変数の初期化等があげられる。
【００１８】
生体認証装置Ａ用生体情報生成前処理２００終了後に生体認証装置Ａ用認証サーバ装置１０３は、生体認証装置Ａおよび生体認証装置Ｂ用生体情報生成共通処理２０１を実行する。本処理内容の具体的な一例は、生体認証装置Ａ １００で取得した生体画像情報より認証に不要な環境要因の除去や共通のフォーマットへの変換処理等がある。この際、生体認証装置Ｂ用認証サーバ装置１０６で実行されている生体認証装置Ｂ用生体情報生成前処理２０５は同時に実行されても良い。
【００１９】
また、生体認証装置Ａ用認証サーバ装置１０３では、生体認証装置Ａ用生体情報生成後処理２０２を実行する。本処理の具体的内容の一例は、生体認証装置Ａおよび生体認証装置Ｂ用生体情報生成共通処理２０１で作成した共通処理完了後の生体情報の途中形式に対し、生体認証装置Ａ用生体情報生成後処理２０２を実行する。本処理の具体的な処理の一例は、生体認証装置Ａ １００用生体情報の形式にあわせた共通処理完了後の生体情報の途中形式の変換等である。
【００２０】
次に生体認証装置Ａ用認証サーバ装置１０３では、当該人物の生体情報比較処理２０３を実行する。本処理の具体的内容は、これまでの処理で生成した生体認証装置Ａ用生体情報と生体認証装置Ａ用生体情報データベースに格納済みの当該人物の生体情報の比較である。
【００２１】
また、生体認証装置Ｂ用認証サーバ装置１０６では、生体認証装置Ａおよび生体認証装置Ｂ用生体情報生成共通処理２０１完了後、その処理で作成した共通処理完了後の生体情報の途中形式に対し、生体認証装置Ａ用生体情報生成後処理２０６を実行する。本処理の具体的な処理の一例は、生体認証装置Ｂ １０４用生体情報の形式にあわせた共通処理完了後の生体情報の途中形式の変換等である。
【００２２】
さらに生体認証装置Ａ用認証サーバ装置１０３では、当該人物の生体情報比較処理２０３完了後、その比較結果を見て、今回取得の生体画像情報が、生体認証装置Ｂ用生体情報格納条件を満たすかの判定処理２０４を実行する。本処理の具体的な判定基準の例として、以下の三例がある。これらのうちの一部あるいは全て、または他の条件の組合せにより本処理の判定基準とする。
【００２３】
一つ目として、あらかじめ本システムの管理者等が生体認証装置Ａ用生体情報データベース１０２に登録している、生体認証装置Ａ １００での当該人物の認証の際に、当該人物の生体認証装置Ｂ １０４用生体情報を生成するか否かのフラグが「生成する」となっている、と言う判定基準例が挙げられる。
【００２４】
二つ目としては、生体認証装置Ａ １００での認証の際に生成した生体認証装置Ａ １００用生体情報と、生体認証装置Ａ生体情報データベース１０２に格納済みの当該人物の生体情報の比較結果、両者の類似度があらかじめ本システムの管理者等が定めた値より上か、すなわちあらかじめ定めた基準より類似しているか、という判定基準例がある。
【００２５】
三つ目としては、ある人物の生体認証装置Ｂ １０４用生体情報生成および生体認証装置Ｂ用生体情報データベース１０５に登録の際に、その生成の際に当該人物の生体認証装置Ａ １００で認証の際に生成した生体認証装置Ａ １００用生体情報と、生体認証装置Ａ用生体情報データベースに格納済みの当該人物の生体情報を比較した際の類似度を生体認証装置Ｂ用生体情報データベース１０５に登録し、次回同じ人物を生体認証装置Ａ １００で認証の際に当該人物の認証の際に生成した生体認証装置Ａ １００用生体情報と、生体認証装置Ａ用生体情報データベース１０２に格納済みの当該人物の生体情報の類似度が、前回の値より上かどうか、すなわち、今回生体認証装置Ａ １００にて取得の当該人物の生体画像情報が、当該人物の生体情報を体認証装置Ａ用生体情報データベース１０２に登録した際のものにより類似しているか、という判断基準がある。
【００２６】
生体認証装置Ｂ用生体情報格納条件を満たすかの判定処理２０４を実行の結果、生体認証装置Ｂ １０４用生体情報を生体認証装置Ｂ用生体情報データベース１０５に格納すると判定された場合は、生体認証装置Ｂ用生体情報データベースに生成した生体情報の格納処理２０７を実行するし、一連の処理を終了する。
【００２７】
生体認証装置Ｂ用生体情報格納条件を満たすかの判定処理２０４を実行の結果、生体認証装置Ｂ １０４用生体情報を生体認証装置Ｂ用生体情報データベース１０５に格納しないと判定された場合は、一連の処理を終了する。
【００２８】
図３は、生体認証装置Ａ用生体情報データベース１０２に保持されているテーブル情報の例を示す図である。
【００２９】
例えば、本データベースには、当該人物の生体情報の通し番号３００、当該人物の氏名３０１、および生体情報３０２、上記生体認証装置Ｂ用生体情報格納条件を満たすかの判定処理２０４の一つ目の例で用いる装置Ｂ用生体情報格納要否フラグ３０３、またニつ目の例で用いる装置Ｂ用生体情報格納基準類似度３０４である。本データベースは、これらの全部または一部、あるいは他の必要な情報を含んでいる。
【００３０】
図４は、生体認証装置Ｂ用生体情報データベース１０５に保持されているテーブル情報の例を示す図である。
例えば、本データベースには、当該人物の生体情報の通し番号４００、当該人物の氏名４０１、および生体情報４０２、上記生体認証装置Ｂ用生体情報格納条件を満たすかの判定処理２０４の三つ目の例で用いる装置Ａ用生体情報の類似度４０３である。本データベースは、これらの全部または一部、あるいは他の必要な情報を含んでいる。
【符号の説明】
【００３１】
１００  生体認証装置Ａ
１０１  ネットワーク
１０２  生体認証装置Ａ用生体情報データベース
１０３  生体認証装置Ａ用認証サーバ装置
１０４  生体認証装置Ｂ
１０５  生体認証装置Ｂ用生体情報データベース
１０６  生体認証装置Ｂ用認証サーバ
２００  生体認証装置Ａ用生体情報生成前処理
２０１  生体認証装置Ａおよび生体認証装置Ｂ用生体情報生成共通処理
２０２  生体認証装置Ａ用生体情報生成後処理
２０３  当該人物の生体情報比較処理
２０４  今回取得の生体画像情報が、生体認証装置Ｂ用生体情報格納条件を満たすかの判定処理
２０５  生体認証装置Ｂ用生体情報生成前処理
２０６  生体認証装置Ｂ用生体情報生成後処理
２０７  生体認証装置Ｂ用生体情報データベースに生成した生体情報の格納処理
３００  当該人物の生体情報の通し番号
３０１  当該人物の氏名
３０２  当該人物の生体情報
３０３  当該人物の生体情報の装置Ｂ用生体情報格納要否フラグ
３０４  当該人物の生体情報の装置Ｂ用生体情報格納基準類似度
４００  当該人物の生体情報の通し番号
４０１  当該人物の氏名
４０２  当該人物の生体情報
４０３  当該人物の装置Ａ用生体情報の類似度
【図１】
2013186510.tif 000003
【図２】
2013186510.tif 000004
【図３】
2013186510.tif 000005
【図４】
2013186510.tif 000006